(57)【要約】【課題】１つの昇降路内に２台の搬器を有する工事用エレベータにおいて、搬器に対する頂部隙間の確保と搬器衝突時における衝撃緩和が可能な仕切装置および工事用エレベータを提供する。【解決手段】１つの昇降路１２内に上下２台の搬器１４、１６を有する工事用エレベータ１００において、２台の搬器１４、１６の間に設けられ、昇降路１２を上下に仕切る仕切装置１０であって、上下２台の搬器１４、１６の昇降路１２の境界を規定する仕切装置本体２０と、仕切装置本体２０に設けられ、昇降路１２を形成するマスト１８に仕切装置本体２０を上下スライド可能に支持させる支持手段２２と、上下２台の搬器１４、１６が所定の昇降区間を越えて昇降移動することを防止する昇降規制手段２４とを備えるようにする。【選択図】図３
2017222443.tif 000002
【特許請求の範囲】
【請求項１】
１つの昇降路内に上下２台の搬器を有する工事用エレベータにおいて、２台の搬器の間に設けられ、昇降路を上下に仕切る仕切装置であって、
上下２台の搬器の昇降路の境界を規定する仕切装置本体と、
仕切装置本体に設けられ、昇降路を形成するマストに仕切装置本体を上下スライド可能に支持させる支持手段と、
上下２台の搬器が所定の昇降区間を越えて昇降移動することを防止する昇降規制手段とを備えることを特徴とする仕切装置。
【請求項２】
仕切装置本体に設けられ、上下２台の搬器がそれぞれ衝突した場合において衝撃を緩和する衝撃緩和手段をさらに備えることを特徴とする請求項１に記載の仕切装置。
【請求項３】
支持手段をマストに対して連結分離可能に係合する係合手段をさらに備えることを特徴とする請求項１または２に記載の仕切装置。
【請求項４】
仕切装置本体に設けられ、仕切装置のクライミング時に下側に位置する搬器の押し上げ力を受ける押し上げ用受け手段をさらに備えることを特徴とする請求項１〜３のいずれか一つに記載の仕切装置。
【請求項５】
請求項１〜４のいずれか一つに記載の仕切装置を備えることを特徴とする工事用エレベータ。
【発明の詳細な説明】
【技術分野】
【０００１】
本発明は、例えば上下２台搬器型仮設エレベータなどにおける昇降路の仕切装置およびこの仕切装置を備える工事用エレベータに関するものである。
【背景技術】
【０００２】
従来、高層集合住宅建築物などの建築現場で使用される工事用エレベータは、例えば図５に示すように、通常１箇所の昇降路１に対して、搬器２を１台設置するのが一般的である（例えば、特許文献１を参照）。しかしながら、このようなエレベータ構造では、Ｓ造（鉄骨造）にしろＲＣ造（鉄筋コンクリート造）にしろ、建設途中の建物の最上施工フロアには着床することができず、その階よりさらに５〜６フロア下がった高さまでしか搬器を上昇させることができない。そのため作業員、建築資材等を最も必要とする躯体施工フロアへの揚重計画を別途検討しなければならず、その分コスト増となってしまう。
【０００３】
そこで、本出願人はこのような問題に対し、搬器が通常着床しない階についても被搬送物を搬送できるようにした工事用エレベータを特願２０１５−０６９３５２号において提案している。この工事用エレベータは、上下方向に立てられた昇降用のポスト部材に沿って昇降可能な上側搬器および下側搬器と、ポスト部材の上端に昇降可能に設けられたヘッドフレームを備えるものである。この工事用エレベータによれば、ポスト部材の上端に継ぎ足されたポスト部材に沿ってヘッドフレームと上側搬器とを一体的に上昇できるので、躯体工事の進捗に伴って発生する工事用エレベータの昇降行程の延長を容易に行うことができる。また、工事用エレベータが着床できなかった躯体施工階へのアプローチを、ヘッドフレームから分離可能な上側搬器により可能となり、型枠等の盛替や、タワークレーンで揚重した外装材の最上階から所定の階への搬送に上側搬器を使用することができるため、タワークレーンの負荷を軽減することができる。
【先行技術文献】
【特許文献】
【０００４】
【特許文献１】特開２００７−２８４１７９号公報
【発明の概要】
【発明が解決しようとする課題】
【０００５】
このような１つの昇降路内で上下２台の搬器を昇降させる工事用エレベータにおいて、２台の搬器の昇降範囲を重複させないとともに、エレベータ構造規格に示されている搬器に対する昇降路の頂部高さ（頂部隙間）を確保する技術および搬器衝突時における衝撃緩和技術の開発が望まれていた。
【０００６】
本発明は、上記に鑑みてなされたものであって、１つの昇降路内に２台の搬器を有する工事用エレベータにおいて、搬器に対する頂部隙間の確保と搬器衝突時における衝撃緩和が可能な仕切装置および工事用エレベータを提供することを目的とする。
【課題を解決するための手段】
【０００７】
上記した課題を解決し、目的を達成するために、本発明に係る仕切装置は、１つの昇降路内に上下２台の搬器を有する工事用エレベータにおいて、２台の搬器の間に設けられ、昇降路を上下に仕切る仕切装置であって、上下２台の搬器の昇降路の境界を規定する仕切装置本体と、仕切装置本体に設けられ、昇降路を形成するマストに仕切装置本体を上下スライド可能に支持させる支持手段と、上下２台の搬器が所定の昇降区間を越えて昇降移動することを防止する昇降規制手段とを備えることを特徴とする。
【０００８】
また、本発明に係る他の仕切装置は、上述した発明において、仕切装置本体に設けられ、上下２台の搬器がそれぞれ衝突した場合において衝撃を緩和する衝撃緩和手段をさらに備えることを特徴とする。
【０００９】
また、本発明に係る他の仕切装置は、上述した発明において、支持手段をマストに対して連結分離可能に係合する係合手段をさらに備えることを特徴とする。
【００１０】
また、本発明に係る他の仕切装置は、上述した発明において、仕切装置本体に設けられ、仕切装置のクライミング時に下側に位置する搬器の押し上げ力を受ける押し上げ用受け手段をさらに備えることを特徴とする。
【００１１】
また、本発明に係る工事用エレベータは、上述した仕切装置を備えることを特徴とする。
【発明の効果】
【００１２】
本発明に係る仕切装置によれば、１つの昇降路内に上下２台の搬器を有する工事用エレベータにおいて、２台の搬器の間に設けられ、昇降路を上下に仕切る仕切装置であって、上下２台の搬器の昇降路の境界を規定する仕切装置本体と、仕切装置本体に設けられ、昇降路を形成するマストに仕切装置本体を上下スライド可能に支持させる支持手段と、上下２台の搬器が所定の昇降区間を越えて昇降移動することを防止する昇降規制手段とを備えるので、搬器に対する頂部隙間の確保と搬器衝突時における衝撃緩和を図ることができ、上下２台の搬器をより安全に稼働させることができるという効果を奏する。
【００１３】
また、本発明に係る他の仕切装置によれば、仕切装置本体に設けられ、上下２台の搬器がそれぞれ衝突した場合において衝撃を緩和する衝撃緩和手段をさらに備えるので、万が一、上下２台の搬器が仕切装置にそれぞれ衝突した場合においても、その衝撃をより確実に緩和することができるという効果を奏する。
【００１４】
また、本発明に係る他の仕切装置によれば、支持手段をマストに対して連結分離可能に係合する係合手段をさらに備えるので、通常時には、支持手段をマストに連結係合して仕切装置本体をマストに上下スライド可能に支持させる一方、仕切装置のクライミング時には、支持手段をマストから分離して仕切装置本体をマストから切り離せば、例えば下側に位置する搬器からの押し上げ力により搬器とともにスムーズに上昇可能である。これにより、躯体工事の進捗に伴って発生する工事用エレベータの昇降行程の延長や、各搬器の昇降区間の変更を容易に行うことができるという効果を奏する。
【００１５】
また、本発明に係る他の仕切装置によれば、仕切装置本体に設けられ、仕切装置のクライミング時に下側に位置する搬器の押し上げ力を受ける押し上げ用受け手段をさらに備えるので、仕切装置のクライミング時に、下側に位置する搬器からの押し上げ力により搬器とともにスムーズに上昇できるという効果を奏する。
【００１６】
また、本発明に係る工事用エレベータによれば、上述した仕切装置を備えるので、搬器に対する頂部隙間の確保と搬器衝突時における衝撃緩和を図ることができ、上下２台の搬器をより安全に稼働可能な工事用エレベータを提供することができるという効果を奏する。
【図面の簡単な説明】
【００１７】
【図１】図１は、本発明に係る工事用エレベータの実施の形態を示す全体図であり、（ａ）は正面図、（ｂ）は側面図である。
【図２】図２は、本発明に係る工事用エレベータの実施の形態を示す詳細図であり、（ａ）は正面図、（ｂ）は側面図である。
【図３】図３は、本発明に係る仕切装置の実施の形態を示す詳細図であり、（ａ）は正面図、（ｂ）は側面図、（ｃ）は平面図である。
【図４】図４は、本発明に係る仕切装置の作用説明図である。
【図５】図５は、従来の工事用エレベータを示す図であり、（ａ）は２本構マスト型、（ｂ）は１本構マスト型である。また、それぞれ（１）は正面図、（２）は側面図である。
【発明を実施するための形態】
【００１８】
以下に、本発明に係る仕切装置および工事用エレベータの実施の形態を図面に基づいて詳細に説明する。なお、この実施の形態によりこの発明が限定されるものではない。
【００１９】
図１に示すように、１つの昇降路１２内に上下２台の搬器を有する工事用エレベータ１００がある。上側に位置する搬器を上搬器１４、下側に位置する搬器を下搬器１６とする。
【００２０】
この工事用エレベータ１００は、従来の工事用エレベータの下搬器１６の昇降できる範囲のさらに上部に、上搬器１４が昇降できる構造となっている。下搬器１６および上搬器１４とも、それぞれ独立して昇降することができる。本実施の形態では、下搬器１６は主に作業員の移動もしくは内装仕上材、設備機器等の搬入に使用する。上搬器１４は主に躯体工事で使用する仮設材や型枠材、床サポート材等の盛替えに使用する。
【００２１】
２台の搬器１４、１６を支持し、昇降路１２を形成する２本のマスト１８は、上搬器１４が主に昇降する範囲では躯体工事を施工中であり、マスト壁繋ぎを取ることができないため、既存のマストよりも自立高さを確保できるよう強化されている。
【００２２】
また、従来の一般的な工事用エレベータと同様に、マストおよび壁繋ぎを追加することで、昇降距離と着床フロアを増やせるクライミングを行うことができる。
【００２３】
図２に示すように、本発明に係る仕切装置１０は、昇降路１２を上下に仕切って上搬器１４と下搬器１６の昇降範囲を重複させないとともに、エレベータ構造規格に示されている搬器に対する頂部隙間の確保と、搬器衝突時における衝撃緩和を図るスライド式の仕切装置であり、上搬器１４と下搬器１６との間にスライド移動可能に設けられる。
【００２４】
図３に示すように、この仕切装置１０は、仕切装置本体２０と、仕切装置本体２０に設けられた支持手段２２と、昇降規制手段２４と、衝撃緩和手段２６と、押し上げ用受け手段２８とを備える。
【００２５】
仕切装置本体２０は、２本のマスト１８の間に形成される昇降路１２内において上搬器１４と下搬器１６の間に配置され、上搬器１４と下搬器１６の昇降路１２の境界を規定するものである。
【００２６】
支持手段２２は、マスト１８に仕切装置本体２０を上下スライド可能に支持させるためのものであり、ラックギア３０により構成されている。このラックギア３０は、マスト１８側部に設けられた上下に延びるラックギア３２に噛合することで仕切装置本体２０を上下スライド可能に支持させている。なお、支持手段２２は、後述する係合手段３４によってマスト１８に対して連結分離可能となっている。
【００２７】
昇降規制手段２４は、上搬器１４と下搬器１６が所定の昇降区間を越えて昇降移動することを防止する安全装置として機能する。この昇降規制手段２４は、上搬器１４と下搬器１６が所定の昇降区間を行き過ぎた場合において、強制的に昇降を停止させるリミットスイッチ（不図示）を作動させる接触板３６を有している。接触板３６は仕切装置本体２０の前側から上下に延びた形状をしており、接触板３６の上端に上搬器１４の下端が接触したり、接触板３６の下端に下搬器１６の上端が接触すると、リミットスイッチが作動して、接触した側の搬器の昇降動作を停止させるようになっている。
【００２８】
衝撃緩和手段２６は、上搬器１４と下搬器１６がそれぞれ衝突した場合において衝撃を緩和するためのものであり、上搬器１４と下搬器１６がそれぞれ衝突した場合においても、その衝撃を緩和し、耐えられる構造となっている。仕切装置本体２０はマスト１８のラックギア３２にラックギア３０で噛合しているため、衝撃力を受けても動くことはない。
【００２９】
押し上げ用受け手段２８は、仕切装置１０のクライミング時に下搬器１６の押し上げ力を受けるためのものであり、押し上げ用受け金具２８Ａにより構成される。この押し上げ用受け金具２８Ａは、仕切装置本体２０の下面の前側と後側の２箇所に設けられ、それぞれ下方に突き出た形態をしている。仕切装置１０のクライミング時に、押し上げ用受け金具２８Ａを介して下搬器１６からの押し上げ力を受けることで、下搬器１６とともにスムーズに上昇できる。
【００３０】
上述したように、本実施の形態の仕切装置１０は、支持手段２２をマスト１８に対して連結分離可能に係合する係合手段３４をさらに備えている。図４の部分平面図に示すように、仕切装置本体２０の前後に車輪３８が組み付けてあり、この車輪３８はマスト１８の隅部のレール４０に沿って走行可能に係合している。仕切装置本体２０は上記のラックギア３０および車輪３８を介してマスト１８に沿って上下スライド可能である。
【００３１】
係合手段３４は、上記のラックギア３０と把持部４２を有して前後に延びるレバー４４と、レバー４４の後部を回転自在に軸支する軸部４６と、レバー４４の前部にある係止部４８を固定する固定部５０とにより構成される。固定部５０には係止部４８と係合可能な２つの係合孔５２Ａ、５２Ｂが設けられており、係止部４８をマスト１８に近い側の係合孔５２Ａに係合固定するとラックギア３０はマスト１８のラックギア３２に噛合し、マスト１８から遠い側の係合孔５２Ｂに係合固定するとラックギア３０はマスト１８のラックギア３２から離脱するようになっている。
【００３２】
仕切装置１０のクライミングを実施する際には、把持部４２を操作してレバー４４をマスト１８から離れる側に回転移動してマスト１８とのラックギアの噛合を解除する。そして、下搬器１６の頂部を仕切装置１０の押し上げ用金具２８Ａに押し当てて、下搬器１６の上昇駆動により仕切装置１０を押し上げ、所定の高さまで上昇させたら、レバー４４をマスト１８側に移動して再度仕切装置１０のラックギア３０をマスト１８側に噛合させて支持させる。
【００３３】
このように、通常時には、支持手段２２であるラックギア３０をマスト１８に連結係合して仕切装置本体２０をマスト１８に上下スライド可能に支持させる一方、仕切装置１０のクライミング時には、ラックギア３０をマスト１８から分離して仕切装置本体２０をマスト１８から切り離すことにより、下搬器１６からの押し上げ力により下搬器１６とともにスムーズに上昇可能である。これにより、躯体工事の進捗に伴って発生する工事用エレベータ１００の昇降行程の延長や、各搬器１４、１６の昇降区間の変更を容易に行うことができる。
【００３４】
上記のように構成した仕切装置１０によれば、下搬器１６に対する頂部隙間の確保と上搬器１４と下搬器１６がそれぞれ仕切装置本体２０に衝突時における衝撃緩和を図ることができ、上搬器１４と下搬器１６をより安全に稼働させることができる。
【００３５】
また、躯体施工フロアへの別途盛替計画が不要となり、この結果、後施工箇所が必要最低限になるとともに総合的なコストダウンに繋がる。
【００３６】
また、本発明に係る工事用エレベータ１００によれば、上述した仕切装置１０を備えるので、搬器に対する頂部隙間の確保と搬器衝突時における衝撃緩和を図ることができ、上下２台の搬器１４、１６をより安全に稼働可能な工事用エレベータを提供することができる。
【００３７】
上記の実施の形態では、２本構マスト型の工事用エレベータの場合を例にとり説明したが、本発明はこれに限るものではない。例えば図５（ｂ）に示すような１本構マスト型の工事用エレベータにも上記と同様な上搬器１４、下搬器１６、仕切装置１０を設けてもよい。このようにしても上記と同様の作用効果を奏することができる。
【００３８】
以上説明したように、本発明に係る仕切装置によれば、１つの昇降路内に上下２台の搬器を有する工事用エレベータにおいて、２台の搬器の間に設けられ、昇降路を上下に仕切る仕切装置であって、上下２台の搬器の昇降路の境界を規定する仕切装置本体と、仕切装置本体に設けられ、昇降路を形成するマストに仕切装置本体を上下スライド可能に支持させる支持手段と、上下２台の搬器が所定の昇降区間を越えて昇降移動することを防止する昇降規制手段とを備えるので、搬器に対する頂部隙間の確保と搬器衝突時における衝撃緩和を図ることができ、上下２台の搬器をより安全に稼働させることができる。
【００３９】
また、本発明に係る他の仕切装置によれば、仕切装置本体に設けられ、上下２台の搬器がそれぞれ衝突した場合において衝撃を緩和する衝撃緩和手段をさらに備えるので、万が一、上下２台の搬器が仕切装置にそれぞれ衝突した場合においても、その衝撃をより確実に緩和することができる。
【００４０】
また、本発明に係る他の仕切装置によれば、支持手段をマストに対して連結分離可能に係合する係合手段をさらに備えるので、通常時には、支持手段をマストに連結係合して仕切装置本体をマストに上下スライド可能に支持させる一方、仕切装置本体のクライミング時には、支持手段をマストから分離して仕切装置本体をマストから切り離せば、例えば下側に位置する搬器からの押し上げ力により搬器とともにスムーズに上昇可能である。これにより、躯体工事の進捗に伴って発生する工事用エレベータの昇降行程の延長や、各搬器の昇降区間の変更を容易に行うことができる。
【００４１】
また、本発明に係る他の仕切装置によれば、仕切装置本体に設けられ、仕切装置のクライミング時に下側に位置する搬器の押し上げ力を受ける押し上げ用受け手段をさらに備えるので、仕切装置本体のクライミング時に、下側に位置する搬器からの押し上げ力により搬器とともにスムーズに上昇できる。
【００４２】
また、本発明に係る工事用エレベータによれば、上述した仕切装置を備えるので、搬器に対する頂部隙間の確保と搬器衝突時における衝撃緩和を図ることができ、上下２台の搬器をより安全に稼働可能な工事用エレベータを提供することができる。
【産業上の利用可能性】
【００４３】
以上のように、本発明に係る仕切装置および工事用エレベータは、高層集合住宅建築物などの建築現場で使用される工事用エレベータに有用であり、特に、１つの昇降路内に２台の搬器を有する工事用エレベータにおいて、搬器に対する頂部隙間の確保と搬器衝突時における衝撃緩和を図るのに適している。
【符号の説明】
【００４４】
１０  仕切装置
１２  昇降路
１４  上搬器
１６  下搬器
１８  マスト
２０  仕切装置本体
２２  支持手段
２４  昇降規制手段
２６  衝撃緩和手段
２８  押し上げ用受け手段
２８Ａ  押し上げ用受け金具
３０、３２  ラックギア
３４  係合手段
３６  接触板
３８  車輪
４０  レール
４２  把持部
４４  レバー
４６  軸部
４８  係止部
５０  固定部
５２Ａ、５２Ｂ  係合孔
１００  工事用エレベータ
【図１】
2017222443.tif 000003
【図２】
2017222443.tif 000004
【図３】
2017222443.tif 000005
【図４】
2017222443.tif 000006
【図５】
2017222443.tif 000007